(57)【要約】【課題】  コスト面で有利であるとともに生産性の向上を図ることができる照明器具を提供する。【解決手段】  照明器具１０は、複数のＬＥＤユニット１３が設けられた回路基板１２と、各ＬＥＤユニット１３が露呈するように回路基板１２を収容する器具本体１１と、各ＬＥＤユニット１３を覆うように器具本体１１の表面に貼付された調光シート１４とを備える。【選択図】図３
2011170990.tif 000002
【特許請求の範囲】
【請求項１】
複数のＬＥＤユニットが設けられた回路基板と、
前記各ＬＥＤユニットが露呈するように前記回路基板を収容する器具本体と、
前記各ＬＥＤユニットを覆うように前記器具本体の表面に貼付された調光シートとを備える照明器具。
【発明の詳細な説明】
【技術分野】
【０００１】
本発明は、ＬＥＤユニットを光源として例えば天井施工面に取り付けられるスポットライトに適用される照明器具に関する。
【背景技術】
【０００２】
従来の照明器具の一例として、ＬＥＤユニットから照射された光を透過させるパネルを備え、照射光のうち少なくとも一部を所望の色温度の光に色変換させるための蛍光体をパネルに保持したものがある（例えば、特許文献１参照）。
【先行技術文献】
【特許文献】
【０００３】
【特許文献１】特開２００８−２１８２３８号公報（図１、請求項１）
【発明の概要】
【発明が解決しようとする課題】
【０００４】
上記特許文献１に開示された従来の照明器具では、ＬＥＤユニットから照射された青色光の一部が蛍光体により黄色光に変換され、青色光と黄色光とが混色された白色光を外部に照射させるようにしている。
しかし、上記特許文献１に開示された従来の照明器具では、蛍光体を保持しているパネルが枠体に取り付けられており、枠体に器具本体側からネジがねじ込まれることによりパネルが器具本体に取り付けられている。
そのため、上記特許文献１に開示された従来の照明器具では、異なる色温度による光の演出を行う場合、異なる光学的特性を有する蛍光体を保持したパネルを有する複数種類の枠体を用意しなければならない。
従って、上記特許文献１に開示された従来の照明器具では、複数種類の枠体を製造することにより製造コストが増大する虞があるばかりか生産ラインでの単一部品の組立を行い難く、さらに部品管理に多くの工数が必要となって生産性の向上を図ることが難しい。
【０００５】
ところで、ＬＥＤユニットを保護するためのレンズを備えた照明器具がある。このような従来の照明器具においてレンズを単体で交換可能とした場合、ＬＥＤユニットを保護するためのパネルが必要になる。
従って、このような従来の照明器具では、効率の低下の虞があるとともに器具本体が複雑化してコスト面で不利になりうる。
【０００６】
一方、ＬＥＤユニットを保護するためのレンズをＬＥＤユニットに一体に構成した照明器具がある。このような従来の照明器具においてレンズを交換する場合、レンズとともにＬＥＤユニットも交換することになる。
従って、このような従来の照明器具では、交換部品の単価が高額になってコスト面で不利になりうる。
【０００７】
本発明は、前述した課題を解決するためになされたものであり、その目的は、コスト面で有利であるとともに生産性の向上を図ることができる照明器具を提供することにある。
【課題を解決するための手段】
【０００８】
本発明に係る照明器具は、複数のＬＥＤユニットが設けられた回路基板と、各ＬＥＤユニットが露呈するように回路基板を収容する器具本体と、各ＬＥＤユニットを覆うように器具本体の表面に貼付された調光シートとを備える。
【発明の効果】
【０００９】
本発明の照明器具によれば、コスト面で有利であるとともに生産性の向上を図ることができる。
【図面の簡単な説明】
【００１０】
【図１】本発明に係る第１実施形態の照明器具の斜め上方から視た外観斜視図
【図２】図１の照明器具の調光シート取付前の外観斜視図
【図３】図１の照明器具の一部破断側面図
【図４】本発明に係る第２実施形態の照明器具の調光シート取付前の外観斜視図
【図５】図４の照明器具の一部破断側面図
【発明を実施するための形態】
【００１１】
以下、本発明の複数の実施形態に係る照明器具について図面を参照して説明する。
（第１実施形態）
本発明の第１実施形態である照明器具１０は、器具本体１１と、複数のＬＥＤユニット１３が露呈するように器具本体１１に収容された回路基板１２と、各ＬＥＤユニット１３を覆うように器具本体１１の前面に貼り付けられた調光シート１４と、を備えて不図示の天井施工面に取り付けられるスポットライトである。
図１、図２に示すように、器具本体１１は、例えば絶縁性を有する硬質な樹脂材料を用いて円筒形状に形成されている。器具本体１１は外周部に周板１５を有し、前面（表面）に前面板１６を有する。周板１５の上部には上下角度変更兼回転角度変更用の照射方向可変ブラケット１７を介して天井取付部材１８が取り付けられている。天井取付部材１８は天井施工面にネジ固定される。調光シート１４は前面板１６に貼り付けられる。
【００１２】
図３に示すように、器具本体１１には、前面板１６において複数のＬＥＤユニット１３に相当する位置に凹状球面形状の反射板１９が形成されている。反射板１９の内面は例えばアルミニウムスパッタによる金属蒸着面になっている。そして、反射板１９の上部にＬＥＤユニット１３が取り付けられている。ＬＥＤユニット１３は回路基板１２に実装されたＬＥＤチップ２０が反射板１９に有する開口部２１に配置されて器具本体１１の内側に取り付けられている。回路基板１２の上部には放熱用のヒートシンク２２が熱的に接続されて取り付けられている。ヒートシンク２２の上部には電源ユニット２３が取り付けられている。電源ユニット２３は、一方が外部の商用電源に電気的に接続されており、他方がＬＥＤユニット１３の回路基板１２に有する不図示のプリント回路に電気的に接続されている。電源ユニット２３はヒートシンク２２を介してＬＥＤユニット１３から熱的に遮断されている。
【００１３】
調光シート１４は、例えば可撓性を有する樹脂材料を用いて予め定められた厚みを有して前面板１６の外径寸法よりもわずかに小さい外径寸法の円板形状に形成されている。調光シート１４はＬＥＤユニット１３のＬＥＤチップ２０からの光を光学的に制御して床面や室内に照射する機能を有する。調光シート１４が有する光学的特性とは、偏光特性、調色特性、拡散特性、集光特性、減光特性のうち少なくとも一つである偏光特性および調色特性である。
【００１４】
調光シート１４が有する偏光特性とは、例えば３０度の遮光角の設定である。この場合、遮光角が３０度以下の光は遮光され、それ以外の光が床面や室内に向けて照射されることになる。そのため、照射される光の視野角を狭めることができるために、光が人の目に直接入り込まないようにしてグレアを防止することができる。
調光シート１４が有する調色特性とは、例えば青色波長の光を発光するＬＥＤチップ２０を用いて、ＬＥＤチップ２０からの青色光の一部を黄色の光に変換させ、青色光と黄色光とを混色させることにより白色光を創生することである。調色特性を有する調光シート１４は、例えば３５００Ｋ（ケルビン）の色温度、或いは３５００Ｋに代えて２０００Ｋ〜７０００Ｋまでの間の任意の色温度を設定することができる。色温度は、昼光色Ｄが５７００Ｋ〜７１００Ｋに、昼白色Ｎが４６００Ｋ〜５４００Ｋに、白色Ｗが３９００Ｋ〜４５００Ｋに、温白色ＷＷが３２００Ｋ〜３７００Ｋに、電球色Ｌが２６００Ｋ〜３１５０Ｋに規定されている。
【００１５】
調光シート１４が有する拡散特性とは、ＬＥＤチップ２０からの直接光および反射板１９を介した反射光を屈折させることにより床面や室内に向けて拡散された光を創生することである。ＬＥＤチップ２０は、その構造上、光の指向性が高く、高輝度であって低立体角の光源であるために強く細い光を発光する。そのため、調光シート１４を介してＬＥＤチップ２０からの光を拡散させて床面や室内を照射させることにより人の目にやさしい光を得ることができる。
調光シート１４が有する集光特性とは、ＬＥＤチップ２０からの光を１か所または一方向に集めることである。
調光シート１４が有する減光特性とは、ＬＥＤチップ２０からの光の量を減少させて床面や室内に向けて照射することである。
調光シート１４は、３０度の遮光角に設定された偏光特性を有するとともに３５００Ｋの色温度の調色特性を有して製造される。また、調光シート１４は、３０度以外の遮光角に設定された偏光特性を有するとともに３５００Ｋ以外の色温度の調色特性を有して製造される。
【００１６】
このような照明器具１０では、同一構造の器具本体１１が製造される。そして、照明器具１０は、電源ユニット２３が外部の商用電源に電気的に接続され、照射方向可変ブラケット１７を介して天井取付部材１８が天井施工面にネジ固定されることにより器具本体１１が天井施工面に設置される。次に、３０度の遮光角の偏光特性を有するとともに３５００Ｋの色温度の調色特性を有する所望の調光シート１４が粘着部材２４により器具本体１１の前面板１６に貼り付けられる。このとき、調光シート１４は、３０度以外の遮光角の偏光特性、３５００Ｋ以外の色温度の調色特性、拡散特性、集光特性、減光特性の少なくとも一つが設定されたものが選ばれても良い。
【００１７】
照明器具１０では、不図示の外部制御回路から電源ユニット２３に商用電源が与えられることにより電源ユニット２３により変換された直流電流がＬＥＤユニット１３の回路基板１２のプリント回路に与えられる。そして、ＬＥＤユニット１３のＬＥＤチップ２０が発光される。ＬＥＤチップ２０からの光は直接光および反射板１９を介した反射光となって調光シート１４に入光される。調光シート１４に入光された光は、遮光角が３０度以下の光が遮光され、それ以外の光が床面や室内に向けて照射され、３５００Ｋの色温度に設定されて床面や室内に向けて照射される。
【００１８】
従って、この第１実施形態の照明器具１０においては、ＬＥＤユニット１３のＬＥＤチップ２０からの光の特性を設定するための調光シート１４が粘着部材２４により器具本体１１の前面板１６に貼り付けられる。
これにより、この第１実施形態の照明器具１０においては、同一構造の器具本体１１に所定の特性を有する調光シート１４を単純に貼り付けるだけで任意の光学的特性を簡単に設定することができる。それ故、この第１実施形態の照明器具１０においては、コスト面で有利であるとともに生産性の向上を図ることができる。
更に、この第１実施形態の照明器具１０においては、器具本体１１が天井施工面に設置された施工後に調光シート１４が貼り付けられる。
これにより、この第１実施形態の照明器具１０においては、施工後の配光調整を行うことができる。
【００１９】
また、この第１実施形態の照明器具１０においては、光源として紫外線のないＬＥＤチップ２０が適用される。
これにより、この第１実施形態の照明器具１０においては、光源として例えばハロゲンランプやＨＩＤランプ（Ｈｉｇｈ  Ｉｎｔｅｎｓｉｔｙ  Ｄｉｓｃｈａｒｇｅ  Ｌａｍｐ）を用いた場合に紫外線が多くなって前面温度が高くなるようなことがないために、調光シート１４の品質を長期的に保障することができる。
そして、この第１実施形態の照明器具１０においては、単一構造の器具本体１１を用いて調光シート１４により様々な被照射物や空間に合わせて異なる配光特性を設定できる。
これにより、この第１実施形態の照明器具１０においては、従来、被照射物や空間に合わせて異なる配光特性を有する複数種類の照明器具を製造していた無駄を廃止して品種の削減を図ることができる。
【００２０】
加えて、この第１実施形態の照明器具１０においては、調光シート１４が、偏光特性、調色特性、拡散特性、集光特性、減光特性のうち少なくとも一つを有する。
これにより、この第１実施形態の照明器具１０においては、異なる配光特性を設定するためのオプション部品取付部やレンズ交換構造やユニット交換構造を器具本体１１に設ける必要がないために器具本体１１のコスト低減を図ることができる。
【００２１】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００２２】
図４、図５に示すように、本発明の第２実施形態の照明器具３０は、前面板３２に開口部３３を有する器具本体３１が適用されており、反射板を有していない。調光シート１４は粘着部材２４によりＬＥＤユニット１３のＬＥＤチップ２０に非接触で前面板３２に貼り付けられている。調光シート１４は、偏光特性、調色特性に加えて拡散特性を有するのが好ましい。
照明器具３０では、ＬＥＤチップ２０からの光が調光シート１４に入光される。調光シート１４に入光された光は、遮光角が３０度以下の光が遮光され、それ以外の光が床面や室内に向けて照射され、３５００Ｋの色温度に設定される。そして、調光シート１４に入光された光は、床面や室内に向けて拡散されて照射される。
【００２３】
従って、この第２実施形態の照明器具３０においては、第１実施形態と比べて器具本体３１の構造が簡潔になる。
これにより、この第２実施形態の照明器具３０においては、金型等の製造コストを大幅に削減して生産性の向上を図ることができる。
【００２４】
なお、前記各実施形態で使用した器具本体、回路基板、ＬＥＤユニット等は例示したものに限定するものではなく適宜変更が可能である。
【符号の説明】
【００２５】
１０、３０  照明器具
１１、３１  器具本体
１２  回路基板
１３  ＬＥＤユニット
１４  調光シート
【図１】
2011170990.tif 000003
【図２】
2011170990.tif 000004
【図３】
2011170990.tif 000005
【図４】
2011170990.tif 000006
【図５】
2011170990.tif 000007